(57)【要約】【課題】移動通信システムで端末機とシステムの正常的な動作のためのＥＳＮの効果的な運営方法を提供する。【解決手段】端末機固有番号のメーカーコードが端末機に再割り当てられ、数回の再割り当てのために再割り当てタイプ（ＲＥＣＹＣＬＥＤ＿ＴＹＰＥ）が端末機に与えられ、与えられた再割り当てタイプによってＳＣＭが新しくセッティングされ、この値によって既存のロングコードマスクと衝突が起きることなくＰＣＬＭが生成される。したがって、ＥＳＮが枯渇しても上記方法によってＰＬＣＭの衝突無しに追加的なＥＳＮの割り当てが可能になり、ＥＳＮの枯渇問題及びＰＬＣＭの衝突問題を効果的に解決することができる。【選択図】図３
2008506300.tif 000002
【特許請求の範囲】
【請求項１】
端末機固有番号のメーカーコードを端末機に再割り当てる段階と、
前記割り当てが何番目の再割り当てかを表す再割り当てタイプ（ＲＥＣＹＣＬＥＤ＿ＴＹＰＥ）情報を端末機に転送する段階と、
を備えてなる、端末機固有番号割り当て方法。
【請求項２】
前記端末機は、前記再割り当てられた端末機固有番号と再割り当てタイプを用いて共用ロングコードマスク（ＰＬＣＭ）を生成することを特徴とする、請求項１に記載の端末機固有番号割り当て方法。
【請求項３】
前記端末機固有番号は、端末機一連番号（Electronic  Serial  Number：ＥＳＮ）または端末機識別番号（User  Identification  Module  ID：ＵＩＭ＿ＩＤ）であることを特徴とする、請求項１に記載の端末機固有番号割り当て方法。
【請求項４】
前記再割り当てタイプは、一つの固定された値を有することを特徴とする、請求項１に記載の端末機固有番号割り当て方法。
【請求項５】
前記端末機は、前記再割り当てタイプに対応するステーションクラスマーク（Station  Class  Mark：ＳＣＭ）とＰＬＣＭの５ビット部分をテーブル形態に保存することを特徴とする、請求項１に記載の端末機固有番号割り当て方法。
【請求項６】
前記端末機は、前記再割り当てタイプによってＰＬＣＭの５ビット部分を決定することを特徴とする、請求項５に記載の端末機固有番号割り当て方法。
【請求項７】
前記端末機は、前記５ビット部分を現在使用されている全てのロングコードマスクと衝突しない値に設定することを特徴とする、請求項６に記載の端末機固有番号割り当て方法。
【請求項８】
端末機固有番号のメーカーコードを端末機に再割り当て、何番目の再割り当てかを表す再割り当てタイプ（ＲＥＣＹＣＬＥＤ＿ＴＹＰＥ）を端末機に転送する段階と、
前記再割り当てタイプによって端末機が保存されるステーションクラスマークの値を決定する段階と、
を備えることを特徴とする、端末機固有番号の運営方法。
【請求項９】
前記端末機固有番号は、端末機一連番号（Electronic  Serial  Number：ＥＳＮ）または端末機識別番号（User  Identification  Module  ID：ＵＩＭ＿ＩＤ）であることを特徴とする、請求項８に記載の端末機固有番号の運営方法。
【請求項１０】
前記端末機は、自分が再割り当て端末機固有番号を具現した端末機か否かを表す情報及び再割り当てタイプ情報（ＲＥＣＹＣＬＥＤ＿ＴＹＰＥ）を永久メモリに保存することを特徴とする、請求項８に記載の端末機固有番号の運営方法。
【請求項１１】
前記端末機が再割り当て固有番号を具現した端末機かを表す情報と前記再割り当てタイプ情報を含む前記ステーションクラスマーク（ＳＣＭｐ）を基地局に知らせる段階をさらに備えることを特徴とする、請求項８に記載の端末機固有番号の運営方法。
【請求項１２】
前記ステーションクラスマークは、基地局の要請無しに登録メッセージ、発信メッセージ、ページ応答メッセージ及び端末情報（Terminal  Information）を通じて基地局に伝達され、前記再割り当てタイプによって既存に使用されなかった（Reserved）値にセッティングされることを特徴とする、請求項１１に記載の端末機固有番号の運営方法。
【請求項１３】
前記ステーションクラスマークは、基地局の要請に応じて、状態メッセージ、状態応答メッセージ、拡張された状態応答メッセージ及び端末情報メッセージのうちいずれか一つを通じて基地局に伝達されることを特徴とする、請求項１１に記載の端末機固有番号の運営方法。
【請求項１４】
下りリンク共通シグナリングチャネルを通じて複数のメッセージを転送する無線システムにおいて、
基地局は、チャネル割り当てまたは情報を知らせるメッセージのＭＳＧ＿ＩＤを、既存に使用されなかった（Reserved）ＭＳＧ＿ＩＤと設定し、端末に自分が再割り当て固有番号及び再割り当てタイプ（ＲＥＣＹＣＬＥＤ＿ＴＹＰＥ）を具現した基地局であることを知らせる段階と、
前記端末機がＭＳＧ＿ＩＤをチェックしてＰＬＣＭを生成する段階と、
を備えることを特徴とする、端末機固有番号の運営方法。
【請求項１５】
前記メッセージは、ＥＣＡＭ、ＧＨＤＭまたはＵＨＤＭメッセージであることを特徴とする、請求項１４に記載の端末機固有番号の運営方法。
【請求項１６】
前記端末機は、ＭＳＧ＿ＩＤが既存に使用されなかった（Reserved）ＭＳＧ＿ＩＤと設定された場合、ＰＬＣＭの５ビット部分を、再割り当てタイプによって決定されたマッピングテーブル内の値に設定することを特徴とする、請求項１４に記載の端末機固有番号の運営方法。
【発明の詳細な説明】
【技術分野】
【０００１】
本発明は、移動通信システムに係り、より詳細には、端末機とシステムの正常的な動作のために端末機の固有番号を割り当て、これを用いて共用ロングコードマスク（Public  Long  Code  Mask：以下、‘ＰＬＣＭ’という。）を構成する方法に関する。
【背景技術】
【０００２】
図１は、３２ビット長を有するＥＳＮ（Electronic  Serial  Number）の一実施例を示す構造図である。ＥＳＮは、一般に、ｃｄｍａ２０００システム及び端末機において各端末機を識別するために用いられている。図１に示すように、端末機のＥＳＮは、上位８ビットのメーカーコード（Manufacturer  Code）部分と下位２４ビットの一連番号（Serial  Number）部分とからなる。上位８ビットは通常、ＦＣＣ（Federal  communications  Commission）から権限を譲られたＴＩＡ（Telecommunication  Industry  Association）が、各端末機メーカーに固有に割り当てるコードであり、一連番号部分は、各端末機メーカーが各端末機に固有に与えるコードである。このようなＥＳＮは、移動通信システム及び端末機において使用者認証及びＰＬＣＭの生成に用いられる。
【０００３】
図２は、ＥＳＮを用いて生成されるＰＬＣＭの一実施例を示す構造図である。図２に示すＰＬＣＭは、４２ビット長を有するが、上位１０ビットは他のロングコードマスクと衝突を避けるための値と設定され、下位３２ビットは置換された（permutated）ＥＳＮと設定される。
【０００４】
また、Ｒ−ＵＩＭ（Removable  User  Identity  Module）にも端末機識別番号（User  Identity  Module  ID：以下、‘ＵＩＭ＿ＩＤ’という。）という固有番号が割り当てられる。このＵＩＭ＿ＩＤは３２ビット長を有する。ＵＩＭ＿ＩＤは、ＦＣＣから権限を譲られたＴＩＡが、ＥＳＮを割り当てる領域内において、該ＥＳＮと重複しない範囲内で割り当てる。
【０００５】
仮に、移動通信端末機にＲ−ＵＩＭが割り当てられると、ＵＩＭ＿ＩＤ使用指示子（Usage  Indicator）というビットが‘１’と設定され、ＥＳＮが使用される部分にＵＩＭ＿ＩＤを使用することができる。したがって、Ｒ−ＵＩＭの割り当てられた端末機では、図２に示すＰＬＣＭは下位３２ビットに、ｐｅｒｍｕｔａｔｅｄ−ＥＳＮの代わりにＰｅｒｍｕｔａｔｅｄ−ＵＩＭ＿ＩＤを含む。
【発明の開示】
【発明が解決しようとする課題】
【０００６】
しかしながら、移動通信産業の発展に伴って移動端末機の需要が増大し、これを生産するメーカーが増加することから、ＥＳＮ及びＵＩＭ＿ＩＤが枯渇危機に直面している。ＥＳＮ及びＵＩＭ＿ＩＤが枯渇する場合に生じる最も大きい問題点は、ＥＳＮまたはＵＩＭ＿ＩＤを用いて生成するＰＬＣＭに衝突が発生するということである。ＰＬＣＭに衝突が発生すると、クローストーク問題の他、著しい容量（Capacity）減少という問題につながる。
【０００７】
したがって、本発明は上記の問題点に鑑みてなされたもので、その目的は、端末機とシステムの正常的な動作のために端末機の固有番号を割り当て、これを用いてＰＬＣＭを構成する方法を提供することにある。
【課題を解決するための手段】
【０００８】
上記目的を達成するために、本発明は、端末機固有番号のメーカーコードを端末機に再割り当て、何番目の再割り当てかを表す再割り当てタイプ（ＲＥＣＹＣＬＥＤ＿ＴＹＰＥ）を端末機に知らせる。また、下りリンク共通シグナリングチャネルを通じて複数の制御メッセージを転送する無線システムにおいて、基地局は、チャネル割り当てまたは情報を知らせるメッセージのＭＳＧ＿ＩＤを、既存に使われなかったＭＳＧ＿ＩＤと設定して、端末に自分が再割り当て固有番号及び再割り当てタイプ（ＲＥＣＹＣＬＥＤ＿ＴＹＰＥ）を具現した基地局であることを知らせ、前記端末機は、ＭＳＧ＿ＩＤをチェックしてＰＣＬＭを生成する。
【発明の効果】
【０００９】
本発明は、移動通信端末機の固有番号を割り当て、これを用いてＰＬＣＭを生成することができる。
【発明を実施するための最良の形態】
【００１０】
本発明は、ｃｄｍａ２０００システム及び端末機で具現され、さらには、他の標準に従って動作する無線通信システムにも適用可能である。以下、本発明の好適な実施例について詳細に説明する。
【００１１】
図３は、拡張されたコード（Extended  Code）が付加されたＥＳＮの一実施例を示す構造図である。図３に示すように、既存のＥＳＮまたはＵＩＭ＿ＩＤに所定長さのフィールドが付加される。ここで、拡張されたコードは、メーカーコードの上位に付加することができる。また、拡張されたコードが付加されたＥＳＮを用いてＰＬＣＭを生成することができる。このために、拡張された４ビットのコード値によって、４２ビットＰＬＣＭの５ビット部分を、現在使用されているすべてのロングコードマスク（Long  Code  Mask）と衝突しない値にマッピングするテーブルを使用する。すなわち、本発明は、拡張された４ビットのコード値によって、ＰＬＣＭを発生するための５ビット部分のバターンの中で現在使用しないパターンを探して使用する。
【００１２】
表１及び表２は、４ビットの拡張されたコードが使用される場合に、拡張されたコードとＰＬＣＭ構成ビット間のマッピング関係を示す一例である。
【００１３】
【表１】
2008506300.tif 000003
【００１４】
【表２】
2008506300.tif 000004
このように、ＥＳＮが枯渇する場合に備えて拡張されたコード値を決定した後、これを用いてＰＬＣＭを生成することによって、従来よりも１６倍（２４）の追加的なＥＳＮとＰＬＣＭを生成することができる。
【００１５】
また、本発明は、拡張されたコード値を認識して使用できるシグナリング方法を提供する。このためには各端末機が、当該拡張されたコード値を保存していなければならなく、また、拡張されたコード値を基地局の要求に応じて報告（Report）できる機能を備えなければならない。拡張されたコード値は、基地局の状態要請メッセージ（Status  Request  Message：以下、‘ＳＴＲＱＭ’という。）に対する端末機の状態応答メッセージ（Status  Response  Message：以下、‘ＳＴＲＰＭ’という。）または拡張された状態応答メッセージ（Extended  Status  Response  Message：以下、‘ＳＴＲＰＭ’という。）を通じて報告される。
【００１６】
表３に、端末機が拡張されたコード値を報告するためのＳＴＲＱＭの一例を示す。
【００１７】
【表３】
2008506300.tif 000005
一方、表４には、端末機が拡張されたコード値を報告するためのＳＴＲＰＭの一例を示す。
【００１８】
【表４】
2008506300.tif 000006
表５は、端末機が拡張されたコード値を報告するためのＥＳＴＲＰＭを示す一例である。
【００１９】
【表５】
2008506300.tif 000007
これらのメッセージにおいて、ＲＥＣＯＲＤ＿ＴＹＰＥフィールドは、基地局が各メッセージでどのような情報を要請するかを決定する、または、端末が応答としてどれを送るかを決定するために用いられる。したがって、拡張されたコード値は、基地局の状態要請メッセージと端末機の状態応答メッセージのＲＥＣＯＲＤ＿ＴＹＰＥフィールドを通じてそれぞれ伝達される。また、拡張されたコード値は、端末機の状態応答メッセージの“Ｔｙｐｅ−ｓｐｅｃｉｆｉｃ  ｆｉｅｌｄｓ”を通じて伝達されても良い。
【００２０】
表６に、ＲＥＣＯＲＤ＿ＴＹＰＥを定義した表の一部を示す。
【００２１】
【表６】
2008506300.tif 000008
表６において、‘Ｆｌａｓｈ’は、情報メッセージを有するフラッシュまたは情報メッセージを有する拡張されたフラッシュを表し、情報記録（Information  record）は、状態要請メッセージ（ＳＴＲＱＭ）、状態応答メッセージ（ＳＴＲＰＭ）または拡張状態応答メッセージ（ＥＳＴＲＰＭ）に含まれることができる。したがって、本発明は、ＲＥＣＯＲＤ＿ＴＹＰＥに拡張されたコード値を含ませ、基地局がＳＴＲＱＭを通じて拡張されたコード値の転送を要求すると、端末機はＳＴＲＰＭまたはＥＳＴＲＰＭを通じて該当の拡張された４コード値を基地局に報告し、基地局は報告された拡張されたコード値を用いてＰＬＣＭを認識できるようになる。
【００２２】
一方、端末機固有番号のメーカーコードを端末機に再割り当てた後、数回の再割り当てのために再割り当てタイプ（ＲＥＣＹＣＬＥＤ＿ＴＹＰＥ）を端末機に知らせ、端末機は、当該再割り当てタイプによってＳＣＭを新しくセッティングした後、該当値によって、既存のロングコードマスクとの衝突が起きることなくＰＬＣＭを生成することができる。このためにまず、本発明は、端末機の固有番号が枯渇したとき、端末機固有番号のメーカーコードを割り当てる権限を有する団体（ＴＩＡ）が端末機固有番号のメーカーコードを端末機に再割り当てる方法を使用する。
【００２３】
好ましくは、メーカーコードを再割り当てる際には、既存に最初に割り当てられたメーカーコードを最初に再割り当てることによって、可能な限り使用される端末機間のメーカーコードが同一になることを避ける。
【００２４】
また、数回の再割り当てのためにメーカーコード再割り当て時に、何番目の再割り当てかを知らせる値である再割り当てタイプ（ＲＥＣＹＣＬＥＤ＿ＴＹＰＥ）を端末機に知らせることを提案する。この場合、一番目の再割り当ての場合には、ＲＥＣＹＣＬＥＤ＿ＴＹＰＥ１、二番目の再割り当ての場合にはＲＥＣＹＣＬＥＤ＿ＴＹＰＥ２と順次にセッティングされる。ＴＩＡによって端末機に与えられる再割り当てタイプ（ＲＥＣＹＣＬＥＤ＿ＴＹＰＥ）は、端末機に直接保存される、または、端末機によって基地局に転送されなかった値でありうる。表７は、７つの再割り当てタイプ（ＲＥＣＹＣＬＥＤ＿ＴＹＰＥ）によるステーションクラスマーク（Station  Class  Mark：以下、‘ＳＣＭ’という。）とＰＬＣＭのマッピング関係を示す一実施例の説明図である。
【００２５】
【表７】
2008506300.tif 000009
表７に表すように、７つの再割り当てが可能な場合、端末機は、割り当てられた再割り当てタイプ（ＲＥＣＹＣＬＥＤ＿ＴＹＰＥ）によって、ＳＣＭの４番ビット、３番ビット、１番ビット及び０番ビット値を設定し、それによるＳＣＭｐを自分の永久メモリに保存する。
【００２６】
また、端末機に保存されたＳＣＭｐは、基地局の要請なしに登録メッセージ（Registration  message）、発信メッセージ（Origination  Message）、ページ応答メッセージ（Page  Response  Message）を通じて基地局に転送される、または、基地局の要請に応じて状態メッセージ（Status  Message）、状態応答メッセージ（Status  Response  Message）及び拡張された状態応答メッセージ（Extended  Status  Response  Message）のような端末情報メッセージを通じて基地局に転送されることができる。
【００２７】
表８は、７つの再割り当てが可能な場合、再割り当て端末機固有番号の端末機具現有無、及び再割り当てタイプ（ＲＥＣＹＣＬＥＤ＿ＴＹＰＥ）を基地局に報告できるようにするための８ビットのＳＣＭを示す一例である。
【００２８】
【表８】
2008506300.tif 000010
表８の一例のように、４番ビット、３番ビット、１番−０番ビットを表８にある値の中で１つに設定することによって、再割り当て固有番号を具現した端末機か否か及び実際再割り当てタイプ（ＲＥＣＹＣＬＥＤ＿ＴＹＰＥ）を基地局に知らせることができる。
【００２９】
表９は、３つの再割り当てが可能な場合、再割り当て端末機固有番号の端末機具現有無、及び再割り当てタイプ（ＲＥＣＹＣＬＥＤ＿ＴＹＰＥ）を基地局に報告できるようにするための８ビットＳＣＭを示す一例である。
【００３０】
【表９】
2008506300.tif 000011
また、３つの再割り当てが可能な場合、与えられた再割り当てタイプ（ＲＥＣＹＣＬＥＤ＿ＴＹＰＥ）によって、ＳＣＭの４番ビット及び３番ビット値を設定し、それによるＳＣＭｐを永久メモリに保存する。
【００３１】
表１０は、３つの再割り当てが可能な場合、再割り当て端末機固有番号の端末機具現有無、及び再割り当てタイプ（ＲＥＣＹＣＬＥＤ＿ＴＹＰＥ）を基地局に報告できるようにするための８ビットＳＣＭを示す一例である。
【００３２】
【表１０】
2008506300.tif 000012
表１０の一例にように、端末機は、ＳＣＭの４番ビット、３番ビットをセッティングすることによって、自分が再割り当て固有番号を具現した端末機か否かと、実際再割り当てタイプ（ＲＥＣＹＣＬＥＤ＿ＴＹＰＥ）を基地局に知らせることができる。
【００３３】
表１１は、ＲＥＣＹＣＬＥＤ＿ＴＹＰＥとＳＣＭ及びＰＬＣＭ（Ｐ３６〜Ｐ３２）とのマッピング関係を示す一例である。
【００３４】
【表１１】
2008506300.tif 000013
１３つの再割り当てが可能な場合、表１１の一例のように、端末機は、与えられた再割り当てタイプ（ＲＥＣＹＣＬＥＤ＿ＴＹＰＥ）によって、ＳＣＭの４番ビット、３番ビット、１番−０番ビット値を設定し、それによるＳＣＭｐを端末機の永久メモリに保存する。また、保存されたＳＣＭｐは、基地局の要請なしに登録メッセージ、発信メッセージ、ページ応答メッセージを通じて基地局に転送される、または、基地局の要請に応じて状態メッセージ（Status  Message）、状態応答メッセージ（Status  Response  Message）及び拡張された状態応答メッセージ（Extended  Status  Response  Message）のような端末情報メッセージを通じて基地局に転送される。
【００３５】
表１２は、１３つの再割り当てが可能な場合、再割り当て端末機固有番号の端末機具現有無、及び再割り当てタイプ（ＲＥＣＹＣＬＥＤ＿ＴＹＰＥ）を基地局に報告できるようにするための８ビットＳＣＭを示す一例である。
【００３６】
【表１２】
2008506300.tif 000014
表１２の一例のように、端末機は、ＳＣＭの４番ビット、３番ビット、１番−０番ビットを、表１２にある値の中で１つにセッティングすることによって、自分が再割り当て固有番号を具現した端末機か否かと、実際再割り当てタイプ（ＲＥＣＹＣＬＥＤ＿ＴＹＰＥ）を基地局に知らせることができる。一方、ＳＣＭの１番−０番ビットを用いて知らせた“Power  Class  for  Band  Class  0  Analog  Operation”情報は、端末機と事業者が予め定めておいた値に決定されることができる。
【００３７】
当該再割り当てられた端末機固有番号と再割り当てタイプ（ＲＥＣＹＣＬＥＤ＿ＴＹＰＥ）を用いてＰＬＣＭを生成することができる。このために、再割り当てタイプ（ＲＥＣＹＣＬＥＤ＿ＴＹＰＥ）によるＳＣＭとＰＬＣＭ（Ｐ３６〜Ｐ３２）のマッピングテーブルを用いて、４２ビット（Ｐ０〜Ｐ４１）ＰＬＣＭの５ビット部分（Ｐ３６〜Ｐ３２）を、現在使用されている全てのロングコードマスク（Long  Code  Mask）と衝突しない値に決定することができる。すなわち、本発明は、再割り当てタイプ（ＲＥＣＹＣＬＥＤ＿ＴＹＰＥ）によるＳＣＭによって、ＰＬＣＭを発生するための５ビット部分（Ｐ３６〜Ｐ３２）のパターンのうち、現在使用しないパターンを探して用いる。図４は、上記表７、表９及び表１１に表すＳＣＭと再割り当てタイプ及びＰＬＣＭ間のマッピング関係を用いて生成されるＰＬＣＭを示す一実施例の構造図である。このように、３２ビットのＥＳＮが枯渇する場合に固有番号再割り当て及び再割り当てタイプ（ＲＥＣＹＣＬＥＤ＿ＴＹＰＥ）を定義し、これを用いてＰＬＣＭを生成することによって、ＰＬＣＭの衝突なしに追加的なＥＳＮを割り当てることができる。
【００３８】
表１３は、順方向共通シグナリングチャネル（Forward-Common  Signaling  Channel：以下、‘Ｆ−ＣＳＣＨ’という。）を通じて転送されるメッセージを示す一例である。
【００３９】
【表１３−１】
2008506300.tif 000015
【００４０】
【表１３−２】
2008506300.tif 000016
表１３において、メッセージは、ＭＳＧ＿ＩＤを用いて区分できるが、従来にチャネルを割り当てる際に使用するメッセージであるＥＣＡＭのＭＳＧ＿ＩＤは、‘０１０１０１’である。当該再割り当て固有番号及び再割り当てタイプ（ＲＥＣＹＣＬＥＤ＿ＴＹＰＥ）を具現した基地局が、再割り当て固有番号及び再割り当てタイプ（ＲＥＣＹＣＬＥＤ＿ＴＹＰＥ）を具現した端末機にＥＣＡＭを転送する際に、ＭＳＧ＿ＩＤとして‘０１０１０１’を用いる代わりに、従来に未だ割り当てられなかった（Reserved）ＭＳＧ＿ＩＤと設定して、該当の端末機がその基地局の再割り当て固有番号及び再割り当てタイプ（ＲＥＣＹＣＬＥＤ＿ＴＹＰＥ）の具現されたか否かをわかるようにすることができる。
【００４１】
したがって、該当の端末機は、ＥＣＡＭのＭＳＧ＿ＩＤが‘０１０１０１’でない従来に割り当てられなかった値である場合には、ＰＬＣＭの生成において、マッピングテーブルから獲得した値をＰＬＣＭのＰ３６〜Ｐ３２に用いる。
【００４２】
表１４に、順方向専用シグナリングチャネル（Forward-Dedicated  Signaling  Channel：以下、‘Ｆ−DＳＣＨ’）を通じて転送されるメッセージの一例を示す。
【００４３】
【表１４−１】
2008506300.tif 000017
【００４４】
【表１４−２】
2008506300.tif 000018
表１４のＧＨＤＭやＵＨＤＭは、ハンドオフを行う際に現在のソース（Source）基地局が端末機に目的（Target）基地局情報を知らせるために使用するメッセージで、ＧＨＤＭの場合、ＭＳＧ＿ＴＹＰＥは‘０００１１１１１’であり、ＵＨＤＭの場合、ＭＳＧ−ＴＹＰＥは‘００１０００１０’である。本提案では、再割り当て固有番号及び再割り当てタイプ（ＲＥＣＹＣＬＥＤ＿ＴＹＰＥ）を具現した端末機が、再割り当て固有番号及び再割り当てタイプ（ＲＥＣＹＣＬＥＤ＿ＴＹＰＥ）を具現した端末機にＧＨＤＭまたはＵＨＤＭを転送する際、ＭＳＧ＿ＩＤを‘０００１１１１１’または‘００１０００１０’でない既存に使用されなかったReservedのＭＳＧ＿ＴＹＰＥと設定し、該当の端末機がハンドオフ時に目的基地局の割り当て固有番号及び再割り当てタイプ（ＲＥＣＹＣＬＥＤ＿ＴＹＰＥ）の具現されたか否かをわかるようにする。
【００４５】
したがって、該当の端末機は、ＧＨＤＭまたはＵＨＤＭのＭＳＧ＿ＴＹＰＥが‘０００１１１１１’または‘００１０００１０’ではなく、従来に使用されなかった（Reserved）他の値である場合、ハンドオフを行った後、目的基地局でＰＬＣＭを生成する際に、Ｐ３６〜Ｐ３２をマッピングテーブルから読み込む値と設定する。
【００４６】
一方、システムは、ＰＬＣＭ生成の他に、各端末機別に異なる唯一な値を有する端末機区分子（Mobile  Station  Identifier：以下、‘ＭＳＩＤ’という。）を必要とすることができる。すなわち、端末機が有効なものか否かを判別する、または、課金するに当たって端末機別に唯一な値を有する必要がある。このためにはＳＣＭ及び端末機一連番号を用いて端末機区分子（ＭＳＩＤ）を生成する必要がある。図５は、ＳＣＭとＥＳＮを用いて生成された端末機区分子（ＭＳＩＤ）の一例である。図５で、ＥＳＮはＳＣＭの値によって、本来割り当てられたＥＳＮにも、本発明で提案した再割り当てられた（Recycled）ＥＳＮにもなりうる。
【００４７】
表１５に、７つの再割り当てが可能な場合、ＳＣＭとＥＳＮによるＭＳＩＤ＿ＴＹＰＥのマッピングテーブルの一例を示す。
【００４８】
【表１５】
2008506300.tif 000019
表１５に表すように、表７に表しているＳＣＭを使用する場合のＥＳＮは、本発明で提案した再使用された（Recycled）ＥＳＮを意味し、表７に表していないＳＣＭを使用する場合のＥＳＮは、本来割り当てられた（Original）ＥＳＮを意味する。そして、ＳＣＭによって、図５で使用される値であるＭＳＩＤ＿ＴＹＰＥ値が決定され、該ＭＳＩＤ＿ＴＹＰＥは３ビット長を有する。
【００４９】
表１６に、３つの再割り当てが可能な場合、ＳＣＭとＥＳＮによるＭＳＩＤ＿ＴＹＰＥのマッピングテーブルの一例を示す。
【００５０】
【表１６】
2008506300.tif 000020
表１６は、３つの再割り当てが可能な場合、ＳＣＭとＥＳＮによるＭＳＩＤ＿ＴＹＰＥのマッピングテーブルの一例を示す。
【００５１】
図１６に示すように、表９に表しているＳＣＭを使用する場合のＥＳＮは、本発明で提案した再使用された（Recycled）ＥＳＮを意味し、表９に表していない全てのＳＣＭを使用する場合のＥＳＮは、従来に割り当てられた（original）ＥＳＮを意味する。そして、ＳＣＭとＥＳＮによって、図５で使用される値であるＭＳＩＤ＿ＴＹＰＥ値が決定されるが、ここで、ＭＳＩＤ＿ＴＹＰＥは２ビット長を有する。
【００５２】
表１７に、１３個の再割り当てが可能な場合、ＳＣＭとＥＳＮによるＭＳＩＤ＿ＴＹＰＥのマッピングテーブルの一例を示す。
【００５３】
【表１７】
2008506300.tif 000021
表１７のように、表１１に表しているＳＣＭを使用する場合のＥＳＮは、本発明で提案した再使用された（Recycled）ＥＳＮを意味し、表１１に表していない全てのＳＣＭを使用する場合のＥＳＮは、従来に割り当てられた（original）ＥＳＮを表す。そして、ＳＣＭとＥＳＮによって、図５で使用される値であるＭＳＩＤ＿ＴＹＰＥ値が決定されるが、ここで、ＭＳＩＤ＿ＴＹＰＥは４ビット長を有する。
【００５４】
したがって、端末機区分子（ＭＳＩＤ）が決定されると、全ての端末機は、各端末機別に唯一なＭＳＩＤを有することができるため、システムは、端末機の有効性判断及び課金などに当該ＭＳＩＤを使用することができる。そして、本発明は、一実施例としてＥＳＮの場合を説明したが、ＥＳＮの代わりにＵＩＮ＿ＩＤが使用されても良い。
【図面の簡単な説明】
【００５５】
【図１】３２ビット長を有するＥＳＮの一実施例を示す構造図である。
【図２】ＥＳＮを用いて生成されるＰＬＣＭの一実施例を示す構造図である。
【図３】拡張されたコード（Extended  Code）が付加されたＥＳＮの一実施例を示す構造図である。
【図４】表７、表９及び表１１に示すＳＣＭと再割り当てタイプ及びＰＬＣＭ間のマッピング関係を用いて生成されるＰＣＭの一実施例を示す構造図である。
【図５】ＳＣＭ及びＥＳＮを用いて生成された端末機区分子（ＭＳＩＤ）の一例を示す図である。
【図１】
2008506300.tif 000022
【図２】
2008506300.tif 000023
【図３】
2008506300.tif 000024
【図４】
2008506300.tif 000025
【図５】
2008506300.tif 000026
【国際調査報告】
2008506300.tif 000027
2008506300.tif 000028